(57)【要約】【課題】直管蛍光灯用ソケットとソケット台との高さ関係が変わっても直管蛍光灯用ソケットの耐荷重性を低下させることがない高品質なアダプタセットを提供する。【解決手段】アダプタセット１０は、直管蛍光灯用ソケット１２、アダプタ１１及び補助部材１３で構成されており、アダプタ１１のランプ軸方向の両側面に、照明器具のソケッ卜台２に取り付けるための第１嵌合溝２０を形成し、直管蛍光灯用ソケット１２は、アダプタ１１の内側に嵌合装着され、アダプタ１１へのソケット装着は、直管蛍光灯用ソケット１２のランプ装着方向から行い、補助部材１３は、ソケット装着方向と同じ方向に配置された直管蛍光灯用ソケット１２の背面側から装着され、アダプタ１１の第１嵌合溝２０及び補助部材１３を介してソケット台２と嵌合する。【選択図】図１
2010080076.tif 000002
【特許請求の範囲】
【請求項１】
直管蛍光灯用ソケットを異なる取付仕様の照明器具に使用するためのアダプタセットであって、
前記直管蛍光灯用ソケット、アダプタ及び補助部材で構成されており、
前記アダプタのランプ軸方向の両側面に、前記照明器具のソケッ卜台に取り付けるための第１嵌合溝を形成し、
前記直管蛍光灯用ソケットは、前記アダプタの内側に嵌合装着され、
前記アダプタへのソケット装着は、前記直管蛍光灯用ソケットのランプ装着方向から行い、
前記補助部材は、前記ソケット装着方向と同じ方向に配置された前記直管蛍光灯用ソケットの背面側から装着され、
前記アダプタの前記第１嵌合溝及び前記補助部材を介して前記ソケット台と嵌合することを特徴とするアダプタセット。
【請求項２】
前記アダプタの内側に配置されたソケット挿入部の両側面には、前記直管蛍光灯用ソケットを取り付けるための嵌合突起が形成され、
前記直管蛍光灯用ソケットには、前記アダプタの嵌合突起に嵌合する第２嵌合溝を形成していることを特徴とする請求項１記載のアダプタセット。
【請求項３】
前記補助部材は、前記アダプタの前記第１嵌合溝よりも狭い幅を有して、前記アダプタの背面凹部に嵌合し、前記アダプタと前記ソケット台との当接面は、前記アダプタの前記第１嵌合溝の終端面に面一であって、前記補助部材と前記ソケット台との当接面および前記直管蛍光灯用ソケットの前記第２嵌合溝の終端の面とは、ランプ軸方向に同一位置であることを特徴とする請求項１または２記載のアダプタセット。
【請求項４】
前記補助部材は、前記アダプタに嵌合係止する係止爪部を有することを特徴とする請求項１〜３のいずれか１項記載のアダプタセット。
【発明の詳細な説明】
【技術分野】
【０００１】
本発明は、直管蛍光灯用ソケットを異なる取付仕様の照明器具に使用するためのアダプタセットに関する。
【背景技術】
【０００２】
従来のアダプタセットの一例として、ソケット貫通部に係止する係止部を有し、取付けスリットを係合する係合部を有するアダプタを設けたものが知られている（例えば、特許文献１参照）。
【０００３】
【特許文献１】特開２００２−２６０４３３号公報（図１、請求項１）
【発明の開示】
【発明が解決しようとする課題】
【０００４】
通常、一つのソケットを取付寸法の異なるソケット台で使用するために、取付寸法を変更させるためにアダプタが使われている。
しかし、近年、ランプ径の異なる直管蛍光灯を共通して使うことができる照明器具が開発され、それによって、ランプ高さを高くするためのアダプタが必要になってきた。
ところで、上記特許文献１に開示されたアダプタセットにおいて、ソケット台は、ランプ装着方向に向かってコ字状のスリットを有し、コ字状のスリットの中心の一面で直管蛍光灯からの押圧力を受けるようになっている。そのため、アダプタは、直管蛍光灯からの押圧力を受けるために、ソケットをアダプタに対してランプ挿入方向と同方向から装着するようにしている。
ところが、ランプ径の異なる直管蛍光灯は、その長さが同一であるために、対向するソケットの間隔を変更できない。そのため、ソケット背面とソケット台との間に、ソケットの間隔を狭くするような部材を挿入することはできない。したがって、アダプタをソケットのランプ装着側から装着する方法が考えられる。
このように、ソケットのソケット台からの高さが変わらないタイプのアダプタであれば、ソケットに加わるランプからの荷重は、当接するソケット台に直接加わるため、ソケットがアダプタから外れるなどの不具合はない。
しかしながら、ソケット高さを変える場合には、ソケット背面とソケット台とが当接しなくなり、ソケットが外れたり、取付溝が破損したりする虞がある。
【０００５】
本発明は、前述した要望を満たすためになされたもので、その目的は、直管蛍光灯用ソケットとソケット台との高さ関係が変わっても直管蛍光灯用ソケットの耐荷重性を低下させることがない高品質なアダプタセットを提供することにある。
【課題を解決するための手段】
【０００６】
本発明に係るアダプタセットは、直管蛍光灯用ソケットを異なる取付仕様の照明器具に使用するためのアダプタセットであって、前記直管蛍光灯用ソケット、アダプタ及び補助部材で構成されており、前記アダプタのランプ軸方向の両側面に、前記照明器具のソケッ卜台に取り付けるための第１嵌合溝を形成し、前記直管蛍光灯用ソケットは、前記アダプタの内側に嵌合装着され、前記アダプタへのソケット装着は、前記直管蛍光灯用ソケットのランプ装着方向から行い、前記補助部材は、前記ソケット装着方向と同じ方向に配置された前記直管蛍光灯用ソケットの背面側から装着され、前記アダプタの前記第１嵌合溝及び前記補助部材を介して前記ソケット台と嵌合することを特徴とする。
【０００７】
本発明においては、ランプ軸方向の直管蛍光灯用ソケットへの押圧力をアダプタおよび補助部材が受けるために、直管蛍光灯用ソケットに加わる応力を小さくして直管蛍光灯用ソケットの強度の低下を生じない。
よって、直管蛍光灯用ソケットの耐荷重性を低下させることがないので破損等を生ずることがなく高品質なアダプタセットを提供できる。
【０００８】
本発明においては、アダプタは、直管蛍光灯用ソケットのランプ装着方向から嵌合される。
よって、アダプタは、ソケット台に嵌合される第１嵌合溝を隠して意匠面で良好にすることができる。
【０００９】
本発明に係るアダプタセットは、前記アダプタの内側に配置されたソケット挿入部の両側面には、前記直管蛍光灯用ソケットを取り付けるための嵌合突起が形成され、前記直管蛍光灯用ソケットには、前記アダプタの嵌合突起に嵌合する第２嵌合溝を形成していることを特徴とする。
【００１０】
本発明においては、直管蛍光灯用ソケットに有する第２嵌合溝をアダプタの内側のソケット挿入部に有する嵌合突起に嵌合させることにより、直管蛍光灯用ソケットがアダプタに嵌合される。
よって、直管蛍光灯用ソケットとアダプタとの固定を簡単に確実に行うことができる。
【００１１】
本発明に係るアダプタセットは、前記補助部材は、前記アダプタの前記第１嵌合溝よりも狭い幅を有して、前記アダプタの背面凹部に嵌合し、前記アダプタと前記ソケット台との当接面は、前記アダプタの前記第１嵌合溝の終端面に面一であって、前記補助部材と前記ソケット台との当接面および前記直管蛍光灯用ソケットの前記第２嵌合溝の終端の面とは、ランプ軸方向に同一位置であることを特徴とする。
【００１２】
本発明においては、アダプタとソケット台との当接面が、アダプタの第１嵌合溝の終端面に面一であり、補助部材とソケット台との当接面および直管蛍光灯用ソケットの第２嵌合溝の終端の面とが、ランプ軸方向に同一位置である。
よって、直管蛍光灯用ソケットに与えられた押圧力は、アダプタを介して補助部材に伝わり、ソケット台ですべてを受けることになり、直管蛍光灯用ソケットへのモーメントを大きくすることがない。
【００１３】
本発明に係るアダプタセットは、前記補助部材は、前記アダプタに嵌合係止する係止爪部を有することを特徴とする。
【００１４】
本発明においては、補助部材はアダプタに直接嵌合されるために、アダプタおよび直管蛍光灯用ソケットから外れることがなく、強固な取付構造を得ることができる。
【発明の効果】
【００１５】
本発明のアダプタセットによれば、アダプタのランプ軸方向の両側面に、照明器具のソケッ卜台に取り付けるための第１嵌合溝を形成し、直管蛍光灯用ソケットは、アダプタの内側に嵌合装着され、アダプタへのソケット装着は、直管蛍光灯用ソケットのランプ装着方向から行い、補助部材は、ソケット装着方向と同じ方向に配置された直管蛍光灯用ソケットの背面側から装着され、アダプタの第１嵌合溝及び補助部材を介してソケット台と嵌合する。
これにより、直管蛍光灯用ソケットとソケット台との高さ関係が変わっても直管蛍光灯用ソケットの耐荷重性を低下させることがない高品質なアダプタセットを提供することができるという効果を有する。
【発明を実施するための最良の形態】
【００１６】
以下、本発明の一実施形態に係るアダプタセットについて、図面を参照して説明する。
【００１７】
本発明の一実施形態であるアダプタセット１０は、アダプタ１１と、直管蛍光灯用ソケット１２と、補助部材１３と、を備え、直管蛍光灯１をソケット台２に取り付ける。
【００１８】
図１に示すように、アダプタ１１は、硬質の絶縁性樹脂材料を用いて、天板１４と、前面板１５と、一対の側板１６と、から背面を開放した四角形の略箱形状に形成されている。アダプタ１１は、天板１４と側板１６とにより囲まれた空間状のソケット挿入部１７を有する。
【００１９】
天板１４は、その中央部に一対の係止爪受部１８を並べて設けている。係止爪受部１８には、補助部材１３に形成されている一対の可撓係止爪１９がそれぞれ係止される。
【００２０】
側板１６は、それぞれの天板１４寄りの位置に、ソケット台２に有するアダプタ取付部３に装着するための第１嵌合溝２０を形成している。第１嵌合溝２０は、直管蛍光灯１の装着方向に平行に配置されている。
【００２１】
側板１６の内側には、天板１４側に、直管蛍光灯用ソケット１２に形成されている一対の第２嵌合溝２６を嵌合させるための一対の嵌合突起２１をそれぞれ突出形成している。嵌合突起２１は、ソケット挿入部１７内に直管蛍光灯１の装着方向に平行に配置されている。
【００２２】
直管蛍光灯用ソケット１２は、硬質の絶縁性樹脂材料を用いて成形されており、略四角形の本体２２の天部に二対の電線挿入孔２３を有する電線取付部２４を有する。電線取付部２４の両側部にはアダプタ嵌合突起２５をそれぞれ形成している。
【００２３】
本体２２は、両側部の天部寄りに、アダプタ１１の一対の嵌合突起２１に嵌合させるための第２嵌合溝２６をそれぞれ形成している。第２嵌合溝２６は、アダプタ１１を用いない場合に、ソケット台２のアダプタ取付部３に装着される。
【００２４】
本体２２の第２嵌合溝２６から予め定められた距離だけ離れた下部には、プランジャ２７が組み付けられている。プランジャ２７は、直管蛍光灯１の装着方向に本体２２に対して移動自在になっており、直管蛍光灯１の装着側に直管蛍光灯１に電気的に接続される一対の接触片２８を内装している。
【００２５】
補助部材１３は、若干の可撓性を有する絶縁性樹脂材料を用いてアダプタ１１の第１嵌合溝２０よりも狭い幅を有して成形されている。補助部材１３は、略板形状に形成された板部２９の前部に一対の可撓係止爪１９をそれぞれ突出形成している。板部２９の上部には、可撓係止爪１９から、アダプタ１１の天板１４の厚さ寸法よりもわずかに大きい距離だけ離れた位置に係合板部３０を形成している。
【００２６】
ソケット台２は、薄板状の金属製であって、端部に矩形の切欠形状に切除されたアダプタ取付部３を形成している。
【００２７】
次に、アダプタセット１０の直管蛍光灯用ソケット１２の内部構造を含めてアダプタセット１０の組立手順について説明する。
【００２８】
図２にも示すように、直管蛍光灯用ソケット１２の本体２２内には、電線挿入孔２３内とプランジャ２７内の接触片２８とを電気的に接続する弾性導電板３１が組み付けられている。弾性導電板３１は、プランジャ２７を直管蛍光灯１の装着方向に本体２２の背面まで移動自在に付勢する。
【００２９】
図３、図４にも示すように、組立にあたり、まず、直管蛍光灯用ソケット１２のランプ装着方向からアダプタ１１を進行させていき、アダプタ１１の嵌合突起２１を直管蛍光灯用ソケット１２の第２嵌合溝２６に嵌合させる。
【００３０】
このとき、直管蛍光灯用ソケット１２の進行に伴い、アダプタ嵌合突起２５がアダプタ１１のソケット挿入部１７に形成されている不図示の嵌合凹部にそれぞれ嵌入されることにより、直管蛍光灯用ソケット１２がアダプタ１１の所定位置に位置決め固定される。
よって、直管蛍光灯用ソケット１２とアダプタ１１との固定を簡単に確実に行うことができる。
【００３１】
次に、補助部材１３をアダプタ１１の背面側から進行させていき、可撓係止爪１９をアダプタ１１の天板１４の下側に挿入していくことにより、可撓係止爪１９を係止爪受部１８に係止させる。
【００３２】
これにより、補助部材１３の板部２９はアダプタ１１の背面に当接し、係合板部３０はアダプタ１１の天板１４の上面に係合されることにより、直管蛍光灯用ソケット１２をアダプタ１１と補助部材１３とで挟み込んで一体的に組み立てる。
よって、補助部材１３はアダプタ１１に直接嵌合されるために、アダプタ１１および直管蛍光灯用ソケット１２から外れることがなく、強固な取付構造を得ることができる。
【００３３】
次に、直管蛍光灯用ソケット１２、アダプタ１１、補助部材１３からなる組立体３２は、アダプタ１１の第１嵌合溝２０をソケット台２のアダプタ取付部３に嵌合させながら、補助部材１３の背面およびアダプタ１１の背面がソケット台２のアダプタ取付部３に有する当接面４に当接するまで押圧挿入される。
【００３４】
図５にも示すように、補助部材１３を用いずに、アダプタ１１のみを用いて直管蛍光灯１をソケット台２に取り付ける場合、直管蛍光灯用１に与えられた押圧力がプランジャ２７を介して直管蛍光灯用ソケット１２における本体１２の背面に作用する。
【００３５】
そのため、アダプタ１１の背面のみがソケット台２の当接面４に当接するために、直管蛍光灯用ソケット１２への押圧力は、アダプタ１１からソケット台２に直接作用し、直管蛍光灯用ソケット１２への押圧力を小さくすることができない。
【００３６】
これに対して、図６にも示すように、ソケット台２に装着された組立体３２の直管蛍光灯用ソケット１２に直管蛍光灯用１を装着するに際し、弾性導電板３１に抗する押圧力が直管蛍光灯用１からプランジャ２７に作用し、その押圧力が直管蛍光灯用ソケット１２に作用する。
【００３７】
このとき、補助部材１３の背面およびアダプタ１１の背面がソケット台２の当接面４に対し、ランプ軸方向に同一位置の単一当接面Ａにより当接している。そのため、直管蛍光灯用１からの押圧力は、アダプタ１１および補助部材１３からソケット台２に直接作用し、直管蛍光灯用ソケット１２への押圧力は小さくなる。
よって、直管蛍光灯用ソケット１２に与えられた押圧力は、アダプタ１１を介して補助部材１３に伝わり、ソケット台２ですべてを受けることになり、直管蛍光灯用ソケット１２へのモーメントを大きくすることがない。
【００３８】
図７（Ａ）に示すように、アダプタ１１および補助部材１３を用いずに、直管蛍光灯１をソケット台２に取り付ける場合、直管蛍光灯用ソケット１２に有する第２嵌合溝２６の取付幅寸法Ｂ１を用いることになる。そして、ソケット台２から直管蛍光灯１の中心までのランプ高さ寸法Ｃ１は直管蛍光灯用ソケット１２の高さ寸法のみに委ねられる。そのため、外径の大きな直管蛍光灯１を取り付けることができない。
【００３９】
これに対して、図７（Ｂ）に示すように、アダプタ１１および補助部材１３を用いて、直管蛍光灯１をソケット台２に取り付けると、アダプタ１１の第２嵌合溝２０の取付幅寸法Ｂ２を用いることになる。そして、直管蛍光灯用ソケット１２のみを用いた場合のソケット台２から直管蛍光灯１の中心までのランプ高さ寸法Ｃ１にアダプタ１１の第２嵌合溝２０までの距離Ｌ１を加えたランプ高さ寸法Ｃ２に変更することができる。
よって、外径の大きな直管蛍光灯１を取り付けることができる。
このとき、アダプタ１１は、ソケット台２を嵌合する第１嵌合溝２０を不図示の照明器具の反射面から見えないように隠して意匠面で良好にすることができる。
【００４０】
本実施形態では、ランプ軸方向の直管蛍光灯用ソケット１２への押圧力をアダプタ１１および補助部材１３が受ける。
これにより、直管蛍光灯用ソケット１２に加わる応力を小さくして直管蛍光灯用ソケット１２の強度の低下を生じない。
よって、直管蛍光灯用ソケット１２の耐荷重性を低下させることがないので破損等を生ずることがなく高品質なアダプタセット１０を提供できる。
【００４１】
本実施形態では、アダプタ１１は、直管蛍光灯用ソケット１２のランプ装着方向から嵌合される。
よって、アダプタ１１は、ソケット台２に嵌合される第１嵌合溝２０を隠して意匠面で良好にすることができる。
【００４２】
本実施形態では、直管蛍光灯用ソケット１２に有する第２嵌合溝２６をアダプタ１１の内側のソケット挿入部１７に有する嵌合突起２１に嵌合させることにより、直管蛍光灯用ソケット１２がアダプタ１１に嵌合される。
よって、直管蛍光灯用ソケット１２とアダプタ１１との固定を簡単に確実に行うことができる。
【００４３】
本実施形態では、アダプタ１１とソケット台２との単一当接面Ａが、アダプタ１１の第１嵌合溝２０の終端面に面一であり、補助部材１３とソケット台２との当接面および直管蛍光灯用ソケット１２の第２嵌合溝２６の終端の面とが、ランプ軸方向に同一位置である。
よって、直管蛍光灯用ソケット１２に与えられた押圧力は、アダプタ１１を介して補助部材１３に伝わり、ソケット台２ですべてを受けることになり、直管蛍光灯用ソケット１２へのモーメントを大きくすることがない。
【００４４】
本実施形態では、補助部材１３はアダプタ１１に直接嵌合されるために、アダプタ１１および直管蛍光灯用ソケット１２から外れることがなく、強固な取付構造を得ることができる。
【００４５】
なお、前記各実施形態で使用した直管蛍光灯１、ソケット台２は例示したものに限定するものではなく適宜変更が可能である。
【図面の簡単な説明】
【００４６】
【図１】本発明に係る第１実施形態のアダプタセットの分解斜視図
【図２】図１に示したアダプタセットのソケット台への取付時の斜視断面図
【図３】図２に示したアダプタセットの前方から視た外観斜視図
【図４】図２に示したアダプタセットの後方から視た外観斜視図
【図５】補助部材を用いずに直管蛍光灯をソケット台に取り付けた場合の縦断面図
【図６】図１に示したアダプタセットを用いて直管蛍光灯をソケット台に取り付けた場合の縦断面図
【図７】（Ａ）は直管蛍光灯用ソケットをソケット台に直接取り付けた場合の正面図、（Ｂ）は図１に示したアダプタセットを用いてソケット台に取り付けた場合の正面図
【符号の説明】
【００４７】
１  直管蛍光灯
２  ソケッ卜台
１０  アダプタセット
１１  アダプタ
１２  直管蛍光灯用ソケット
１３  補助部材
１７  ソケット挿入部
１９  可撓係止爪（係止爪部）
２０  第１嵌合溝
２１  嵌合突起
２６  第２嵌合溝
【図１】
2010080076.tif 000003
【図２】
2010080076.tif 000004
【図３】
2010080076.tif 000005
【図４】
2010080076.tif 000006
【図５】
2010080076.tif 000007
【図６】
2010080076.tif 000008
【図７】
2010080076.tif 000009